(57)【特許請求の範囲】
【請求項１】
打撃力を発生する工具本体部と、該工具本体部の打ち込み方向前部に設けられて、打撃された打ち込み具を打ち込み部位に案内する打ち込み案内部を備えた打ち込み工具であって、
前記打ち込み案内部は、前記打ち込み具の打ち込み通路を有するドライバガイドと、該ドライバガイドに回動可能に支持されて前記打ち込み通路を開閉する開閉蓋と、該開閉蓋を閉じ状態にロックするロック機構を備えており、
該ロック機構に加えてその打ち込み方向前側に、前記開閉蓋を閉じ状態に保持する前側閉じ部を設けた打ち込み工具。
【請求項２】
請求項１記載の打ち込み工具であって、前記前側閉じ部は、前記ロック機構に対して前記開閉蓋の打ち込み方向前側に設けた蓋側係合部と、該蓋側係合部に対応して前記ドライバガイドの打ち込み方向前側に設けた通路側係合部を備え、該通路側係合部に対して前記蓋側係合部を相互に係合させ、該係合状態を前記ロック機構の閉じ力を利用して保持することにより前記開閉蓋を閉じ状態に保持する構成とした打ち込み工具。
【請求項３】
請求項２記載の打ち込み工具であって、前記ロック機構は、前記ドライバガイドに支持した開閉レバーと、該開閉レバーに支持されて前記ドライバガイドに設けた引き掛け部に引き掛けて前記開閉蓋を閉じ方向に付勢するスプリングを備えており、
前記開閉蓋は、打ち込み方向に沿って前後に変位可能に支持されており、該開閉蓋の打ち込み方向後ろ側への変位により、前記蓋側係合部若しくは前記通路側係合部の少なくとも一方に設けた傾斜面を介して前記スプリングの弾性力を前記開閉蓋の閉じ方向への弾性力として作用させて該開閉蓋を閉じ状態に保持する構成とした打ち込み工具。
【請求項４】
請求項３記載の打ち込み工具であって、前記開閉レバーを開き側に操作すると前記開閉蓋が打ち込み方向前側に変位して、前記蓋側係合部と前記通路側係合部の係合状態が解除されて当該開閉蓋を開放可能となる構成とした打ち込み工具。
【請求項５】
請求項１〜４記載の何れか１項に記載した打ち込み工具であって、前記前側閉じ部が、前記打ち込み通路内に供給された打ち込み具の先端部に対応して配置された打ち込み工具。
【発明の詳細な説明】
【技術分野】
【０００１】
この発明は、例えばコンクリートガス釘打ち機やフロアタッカ等の打ち込み工具に関する。
【背景技術】
【０００２】
この種の打ち込み工具は、打撃機構を内装した工具本体部と、工具本体部の先端から延びるドライバガイドを備えるもので、このドライバガイド内の打ち込み通路内に供給した１本の打ち込み具がドライバで打撃されてドライバガイドの先端（射出口）から打ち出される。
ドライバガイドには、例えば詰まった打ち込み具を除去するために打ち込み通路を開放できるようになっており、そのための開閉蓋が設けられている。多くの場合開閉蓋は、ドライバガイドの打ち込み方向に沿った一定の範囲を開閉するためにその上部側がドライバガイドに対して上下に回動可能に支持されている。
ドライバガイド内では工具本体部の動作によって下動するドライバによって打ち込み具の頭部が打撃され、この打ち込み具が射出口まで案内されて打ち出される。このため、開閉蓋は打ち込み具を安定して案内する案内面としての機能を併せ持つために、打ち込み時の衝撃若しくは打ち込み具の接触に対して閉じ状態に強固に維持される必要がある。
これに対して、開閉蓋を強固に閉じておくためのロック機構がドライバガイドの側方であって特に射出口付近ではみ出す状態に設けられていると、例えば壁際での隅打ち作業において当該ロック機構を構成するロックレバーやリング形のスプリングが干渉する等して邪魔になるため、係るロック機構は射出口から離れた打ち込み方向後ろ側に設けられることが当該打ち込み工具の作業性を高める点で望ましい。
従来、この開閉蓋に関する技術が下記の特許文献に開示されている。下記の特許文献には、ロック機構を打ち込み方向の後ろ側に配置する一方、開閉蓋の先端側を避けた中程の位置に設けた突起部をドライバガイド本体側に設けたテーパ面に押し当てて、ロック機構のスプリングの弾性力（引き込み力）を当該開閉蓋の閉じ方向に作用させて閉じ力を高める構成となっていた。
【先行技術文献】
【特許文献】
【０００３】
【特許文献１】特開２００２−８６３６７号公報
【発明の概要】
【発明が解決しようとする課題】
【０００４】
しかしながら、ロック機構を開閉蓋の打ち込み方向後ろ側に配置し、また開閉蓋の前側（射出口付近）を避けた前後方向中程にスプリングの弾性力を作用させて閉じ方向に押し付ける構成であると、開閉蓋の前側（打ち込み方向先端側）の閉じ力（閉じ方向の押し付け力）が弱くなって開き方向への浮きが発生しやすくなり、その結果打ち込み具の接触等によってその案内機能が低下する問題が発生する。
本発明は、隅打ち等の作業性を損なうことなく、開閉蓋がその全長にわたってより均一かつ確実に閉じ状態にロックされ、これにより打ち込み具の案内が確実になされるようにすることを目的とする。
【課題を解決するための手段】
【０００５】
上記課題は、以下の発明によって解決される。
第１の発明は、打撃力を発生する工具本体部と、該工具本体部の打ち込み方向前部に設けられて、打撃された打ち込み具を打ち込み部位に案内する打ち込み案内部を備えた打ち込み工具であって、前記打ち込み案内部は、前記打ち込み具の打ち込み通路を有するドライバガイドと、該ドライバガイドに回動可能に支持されて前記打ち込み通路を開閉する開閉蓋と、該開閉蓋を閉じ状態にロックするロック機構を備えており、該ロック機構に加えてその打ち込み方向前側に、前記開閉蓋を閉じ状態に保持する前側閉じ部を設けた打ち込み工具である。
第１の発明によれば、開閉蓋を閉じ状態にロックするロック機構とは別に、その打ち込み方向前側に当該開閉蓋を閉じ部状態に保持する前側閉じ部が設けられていることから、例えば隅打ち作業に邪魔になりやすいロック機構を打ち込み方向後ろ側に配置する一方、打ち込み方向前側（射出口側）については前側閉じ部により開閉蓋を閉じ状態に確実に保持することができ、これにより当該開閉蓋の特に打ち込み方向前側の浮きを防止してその打ち込み具案内機能を確実に発揮させることができる。
第２の発明は、第１の発明において、前側閉じ部は、このロック機構に対して開閉蓋の打ち込み方向前側に設けた蓋側係合部と、この蓋側係合部に対応してドライバガイドに設けた通路側係合部を備え、この通路側係合部に対して蓋側係合部を相互に係合させ、この係合状態をロック機構の閉じ力を利用して保持することにより開閉蓋を閉じ状態に保持する構成とした打ち込み工具である。
第２の発明によれば、打ち込み方向後ろ側にロック機構を配置して隅打ち作業等の作業性を確保しつつ、開閉蓋の打ち込み方向前側についても前側閉じ部で確実に閉じ状態に保持してその打ち込み具案内機能を確実に発揮させることができる。
第３の発明は、第２の発明において、ロック機構は、ドライバガイドに支持した開閉レバーと、この開閉レバーに支持されてドライバガイド側に設けた引き掛け部に引き掛けて開閉蓋を閉じ方向に付勢するスプリングを備えており、開閉蓋は、打ち込み方向に沿って前後に変位可能に支持されており、この開閉蓋の打ち込み方向後ろ側への変位により、前側閉じ部の蓋側係合部若しくは通路側係合部の少なくとも一方に設けた傾斜面を介してスプリングの弾性力を開閉蓋の閉じ方向への弾性力として作用させて開閉蓋を閉じ状態に保持する構成とした打ち込み工具である。
第３の発明によれば、スプリングをドライバガイド側の引き掛け部に引き掛けて開閉レバーをロック側に回動操作すると、開閉蓋が閉じ状態にロックされるとともに、このスプリングの弾性力によって前側閉じ部の蓋側係合部と通路側係合部との係合状態が保持されて開閉蓋の主として打ち込み方向前側が閉じ状態に保持される。しかも、スプリングの弾性力を開閉蓋を打ち込み方向後ろ側に変位させる方向に作用させることにより、当該弾性力を前側閉じ部の傾斜面を経て開閉蓋を閉じ方向に付勢する弾性力として作用させることができる。このことから、ロック機構により開閉蓋を閉じ状態にロックすると、前側閉じ部についても特別の操作をすることなく確実に機能させて開閉蓋をその全体にわたって閉じ状態に保持することができる。
第４の発明は、第３の発明において、開閉レバーを開き側に操作すると開閉蓋が打ち込み方向前側に変位して、前側閉じ部の蓋側係合部と通路側係合部との係合状態が解除されて当該開閉蓋を開放可能となる構成とした打ち込み工具である。
第４の発明によれば、開閉レバーを開き側に操作すればロック機構がアンロックされるとともに、前側閉じ部の係合状態が解除されて開閉蓋を開くことができるので、前側閉じ部について特別の操作することなく開閉蓋を簡単な操作のみで開くことができ、これにより特に打ち込み通路内に詰まった打ち込み具を除去する作業を行う場合における当該打ち込み工具の操作性及び取り扱い性（メンテナンス性）を高めることができる。
第５の発明は、第１〜第４の何れか一つの発明において、前側閉じ部が、打ち込み通路内に供給された打ち込み具の先端部に対応して配置された打ち込み工具である。第５の発明によれば、打ち込み具の案内機能を効率よく発揮させることができる。
【図面の簡単な説明】
【０００６】
【図１】本発明の実施形態に係る打ち込み工具の全体側面図である。
【図２】打ち込み案内部の側面図である。
【図３】打ち込み案内部の平面図である。
【図４】図３の(IV)-(IV)線断面矢視図であって、打ち込み案内部の縦断面図である。
【図５】打ち込み案内部の側面図である。本図は、開閉レバーをアンロック側に回動操作した結果、開閉蓋が打ち込み方向前側へ変位しつつ開き側に変位した状態を示している。
【図６】打ち込み案内部の側面図である。本図は、開閉蓋を開放した状態を示している。
【発明を実施するための形態】
【０００７】
次に、本発明の実施形態を図１〜図６に基づいて説明する。図１は、本実施形態の打ち込み工具１の全体を示している。本実施形態では、打ち込み工具１の一例として圧縮エアを動力源とする釘打ち機を例示する。この打ち込み工具１は、打ち込み動力を発生させる工具本体部２と、使用者が把持するハンドル部３と、多数の打ち込みを装填するマガジン４と、打ち込み具を打ち込み部位に案内する打ち込み案内部５を備えている。本実施形態は、打ち込み案内部５に特徴を有するものであり、その他の部位については既に公知であるので詳細な説明は省略する。
工具本体部２には、圧縮エアを動力源として往復動するピストン２ａが内装されている。このピストン２ａに打ち込み具打撃用のドライバ２ｂが取り付けされている。ドライバ２ｂは打ち込み方向前方（図１において左方）へ長く延びており、その先端側は打ち込み案内部５に至っている。工具本体部２に設けたトリガ形式のスイッチレバー２ｃを指先で引き操作するとピストン上室に圧縮エアが供給されてピストン２ａが下動する。ピストン２ａの下動により、ドライバ２ｂが打ち込み案内部５の打ち込み通路５ａを打ち込み方向に移動する。このドライバ２ｂによって、打ち込み案内部５の打ち込み通路５ａ内に供給された１本の打ち込み具が打撃されて、打ち込み通路５ａの先端である射出口５ｂから打ち出される。打ち込み通路５ａ内には、工具本体部２の打ち込み動作に連動してマガジン４から打ち込み具が１本ずつ供給される。
【０００８】
図２以下に打ち込み案内部５の詳細が示されている。打ち込み案内部５は、打ち込み通路５ａを有するドライバガイド１０と、ドライバガイド１０に回動可能に支持されて打ち込み通路５ａをその前端の射出口５ｂまで含めて開閉可能な開閉蓋１１と、この開閉蓋１１を閉じ状態にロックするロック機構１２を備えている。
ドライバガイド１０は、後部の円筒形状を有する本体取り付け部１０ａと、本体取り付け部１０ａから打ち込み方向前方に延びる平板形状の案内本体部１０ｂを備えている。本体取り付け部１０ａを介して当該ドライバガイド１０が工具本体部２の前部に固定されている。案内本体部１０ｂの上面に沿って打ち込み通路５ａが形成されている。案内本体部１０ｂの後部側は、固定蓋１３によって塞がれている。この固定蓋１３は、２本のボルト１３ａ，１３ａによって案内本体部１０ｂの上面に固定されている。この固定蓋１３の打ち込み方向前側において、打ち込み通路５ａが射出口５ｂに至る範囲まで開閉蓋１１によって塞がれている。
案内本体部１０ｂの下面にマガジン４の送り方向先端部（図１において上端部）が結合されている。図４に示すようにこの案内本体部１０に打ち込み具供給口１０ｄが設けられている。この打ち込み具供給口１０ｄを経て、マガジン４から１本の打ち込み具が打ち込み通路５ａ内に供給される。
【０００９】
ドライバガイド１０の案内本体部１０ｂの左右側部には、一対の支持壁部１０ｃ，１０ｃが設けられている。開閉蓋１１は、この支持壁部１０ｃ，１０ｃ間に跨って取り付けた支持軸１４を介して上下に回動可能に支持されている。開閉蓋１１の後部上面には、支持凸部１１ａが上方へ盛り上がるようにして一体に設けられている。この支持凸部１１ａに支持孔１１ｂが設けられている。この支持孔１１ｂに支持軸１４が挿通されている。図４に示すように支持孔１１ｂは長溝孔形状に形成されており、後ろ側（図４において右側）が下方へ変位する方向に傾斜している。このため、開閉蓋１１は、打ち込み方向前後に沿って一定の範囲で変位可能な状態で上下に回動可能であるとともに、打ち込み方向前側へ変位しつつ開き側（上方）に平行移動可能かつ後ろ側へ変位しつつ閉じ側（下方）に平行移動可能に支持されている。
案内本体部１０ｂの左右支持壁部１０ｃ，１０ｃ間には、開閉蓋１１の他、ロック機構１２の開閉レバー１５が上下に回動可能に支持されている。図３に示すように開閉レバー１５の前部には、一対の支持アーム部１５ａ，１５ａが相互に平行に前方へ延びる状態で一体に設けられている。両支持アーム部１５ａ，１５ａ間に開閉蓋１１の支持凸部１１ａを挟み込んだ状態で当該開閉レバー１５が支持軸１４を介して上下に回動可能に支持されている。
開閉レバー１５には、矩形枠形のスプリング１６が取り付けられている。このスプリング１６の後枠部１６ａが開閉レバー１５に結合されている。スプリング１６の後枠部１６ａは、開閉レバー１５の回動中心である支持軸１４に対して一定の軸間距離をおいた部位に回転可能に結合されている。このため、スプリング１６は、この後枠部１６ａを中心にして開閉レバー１５に対して回動可能に結合されており、また開閉レバー１５の回動操作により支持軸１４の周囲を変位する。
このスプリング１６は、図３に示すように平面的に見れば矩形枠形を有している一方、図４に示すように側面的に見れば上側に凸となる向きに緩やかに湾曲している。この湾曲形状によって当該スプリング１６に主として後ろ向きの適度な弾性力が持たされている。
【００１０】
ドライバガイド１０の案内本体部１０ｂの両側部であって、開閉蓋１１の両側方には、一対の引き掛け部１７，１７が上方へ立ち上がる状態に設けられている。両引き掛け部１７，１７の下面には、それぞれ後ろ側へ下る方向に傾斜する傾斜面１７ａが形成されている。この両引き掛け部１７，１７に対応して開閉蓋１１の前後方向ほぼ中央にも傾斜面１１ｃが形成されている。この開閉蓋１１側の傾斜面１１ｃは、上記引き掛け部１７側の傾斜面１７ａとは反対に後ろ側へ上る方向に傾斜している。図２に示すように開閉蓋１１の閉じ状態において、スプリング１６の前枠部１６ｂの両側部が左右の引き掛け部１７，１７に対して下側から引き掛けられると、当該前枠部１６ｂの左右側部が傾斜面１７ａ，１７ａに押し当てられ、その中央は開閉蓋１１の傾斜面１１ｃに押し当てられる。スプリング１６の弾性力はその湾曲形状により主として後ろ向き（開閉蓋１１を後ろ側へ引き込む方向）に作用することから、当該前枠部１６ｂは左右の傾斜面１７ａ，１７ａと中央の傾斜面１１ｃとの間に弾性的に食い込んだ状態となる。その結果、開閉蓋１１には、スプリング１６による後方へ引き込む方向の弾性力に加えて、左右の傾斜面１７ａ，１７ａによる前枠部１６ｂの押し下げ方向の弾性力と、中央の傾斜面１１ｃによる押し下げ方向の弾性力が作用し、これら弾性力によって開閉蓋１１が閉じ状態にロックされる。
本実施形態の場合、傾斜面１１ｃの前後方向の位置については、打ち込み通路５ａ内に供給された打ち込み具の頭部側方となる部位に設定されている。このため、ロック機構１２により開閉蓋１１に付加される後ろ側の閉じ力（弾性力）は、打ち込み通路５ａ内に供給される打ち込み具の頭部側方付近（マガジン４の頭部案内部付近）において傾斜面１１ｃを経て付加されることとなり、ドライバ２ｂによる頭部打撃時においても強固な閉じ状態が効率よく維持されるようになっている。この後ろ側閉じ力付加位置が図２中Ｐ１の符号を付して示されている。
【００１１】
このロック機構１２に加えて、打ち込み案内部５の打ち込み方向前側であって射出口５ｂに近い部位には、左右一対の前側閉じ部２０，２０が構成されている。本実施形態では、打ち込み通路５ａ内に供給される打ち込み具の先端部よりやや前側に前側閉じ部２０，２０が設定されている。このため、上記ロック機構１２による後ろ側閉じ力付加位置Ｐ１（傾斜面１１ｃ、引き掛け部１７の位置）に対して十分な間隔Ｌをおいた前側閉じ力付加位置Ｐ２に前側閉じ部２０，２０が配置されている。この前側閉じ部２０，２０によって開閉蓋１１の主として前部（射出口５ｂ側）が案内本体部１０ｂに対して確実に閉じ状態にロックされる。前側閉じ部２０は、案内本体部１０ｂ側の通路側係合部１８と、開閉蓋１１側の蓋側係合部１１ｄから構成されている。通路側係合部１８，１８は、それぞれ案内本体部１０の側部であって上記引き掛け部１７，１７の前方に設けられている。図３に示すように両通路側係合部１８，１８は、平面的に見て案内本体部１０ｂの側方へはみ出さず、かつ図２及び図４に示すように側面的に見て開閉蓋１１の上面に対して僅かに突き出す程度の高さ寸法で設けられている。
この両通路側係合部１８，１８の下面側にも、通路側傾斜面１８ａ，１８ａが形成されている。両通路側傾斜面１８ａ，１８ａも、後ろ側の傾斜面１７ａと同じく後ろ側に下る方向に傾斜している。
この両通路側係合部１８，１８に対応して、開閉蓋１１の両側部に、蓋側係合部１１ｄ，１１ｄが側方へ張り出す状態に設けられている。両蓋側係合部１１ｄ，１１ｄは、図３に示すように案内本体部１０ｂの側方へはみ出さない程度の寸法で開閉蓋１１の側部に張り出し形成されている。また、両蓋側係合部１１ｄ，１１ｄは、図２に示すように開閉蓋１１の板厚に等しい高さ寸法で、通路側係合部１８よりも低く形成されている。
この両蓋側係合部１１ｄ，１１ｄの上面に、それぞれ傾斜面１１ｅが形成されている。両傾斜面１１ｅ，１１ｅは、通路側係合部１８の傾斜面１８ａと同じ角度で同じ方向（後ろ側へ下る方向）に傾斜している。このため、図２に示すように開閉蓋１１の閉じ状態では、左右の通路側の傾斜面１８ａ，１８ａにそれぞれ蓋側の傾斜面１１ｅが摺接された状態となる。しかも、開閉蓋１１に対してスプリング１６の弾性力が後ろ側へ引き込む方向に作用することから、当該弾性力は、両傾斜面１８ａ，１１ｅの摺接作用を通じて開閉蓋１１を閉じる方向の弾性力として作用する。
開閉蓋１１の上面中央付近には、押し壁部１９が上方へ立ち上がる状態に設けられている。この押し壁部１９は、開閉蓋１１の開放時に機能する。これについては後述する。
【００１２】
図２〜図４に示す閉じ状態から開閉蓋１１は図５の状態を経て図６に示すように開放される。図５に示すように開閉レバー１５を上方のアンロック位置側（起こす方向）に回動操作すると、スプリング１６が全体として前側へ変位する結果その前枠部１６ｂが引き掛け部１７，１７の傾斜面１７ａ，１７ａと、開閉蓋１１側の傾斜面１１ｃとの間から外れてその食い込み状態が解除される。これにより当該ロック機構１２による開閉蓋１１の閉じ状態がアンロックされる。
その後、開閉レバー１５をさらにアンロック側に回動操作すると、スプリング１６の前枠部１６ｂがさらに前側に変位して、開閉蓋１１の押し壁部１９に当接する。この当接状態のまま、開閉レバー１５がアンロック側に回動操作されることにより、スプリング１６を介して開閉蓋１１が打ち込み方向前側へ押される。
開閉蓋１１を案内本体部１０に対して支持する支持軸１４が長溝孔形状であって後ろ側に下る方向に傾斜した支持孔１１ｂに挿通されている。このため、スプリング１６で押されることにより開閉蓋１１は打ち込み方向前側へ変位しつつ開き方向に変位する。図５は、この段階の状態を示している。図５に示すように開閉蓋１１がスプリング１６で押されて打ち込み方向前側へ変位すると、通路側係合部１８，１８に対する蓋側係合部１１ｄ，１１ｄの係合状態が解除されて、左右の前側閉じ部２０，２０が外れる。
こうして開閉レバー１５のアンロック操作によりロック機構１２がアンロックされ、その後、開閉蓋１１がスプリング１６で押されて打ち込み方向前側へ変位することにより前側閉じ部２０，２０が解除された後、当該開閉蓋１１を上方へ開放することができる。図６は開閉蓋１１の開放状態を示している。
【００１３】
この開放状態から開閉蓋１１を閉じるには、当該開閉蓋１１を案内本体部１０の上面に沿って位置させる。図６に示すようにスプリング１６の前枠部１６ｂが押し壁部１９から外された状態では、開閉蓋１１に前側かつ開き側にスプリング１６の弾性力が作用しないことから、当該開閉蓋１１は、案内本体部１０の上面に当接した状態にセットすることができる。その後、開閉レバー１５を下側へ倒す方向に回動させつつ、外れたスプリング１６の前枠部１６ｂを左右引き掛け部１７，１７の傾斜面１７ａ，１７ａと、開閉蓋１１側の傾斜面１１ｃとの間に戻し、この状態で開閉レバー１５をさらにロック側に回動することにより、当該前枠部１６ｂを傾斜面１７ａ，１７ａと傾斜面１１ｃとの間に食い込ませる。スプリング１６の前枠部１６ｂが傾斜面１７ａ，１７ａと傾斜面１１ｃとの間に弾性的に食い込むことにより、当該スプリング１６の弾性力が開閉蓋１１を後ろ側に引き込む方向に作用するとともに、当該開閉蓋１１を案内本体部１０の上面に押し付ける方向に作用する。
開閉レバー１１のロック側への回動操作により開閉蓋１１が後ろ側に引き込まれることにより、前側閉じ部２０，２０の蓋側係合部１１ｄ，１１ｄが通路側係合部１８，１８の下側に食い込んで、当該前側閉じ部２０，２０がスプリング１６の弾性力により弾性的に係合される。前側閉じ部２０，２０が弾性的に係合されると、蓋側係合部１１ｄ，１１ｄの傾斜面１１ｅ，１１ｅがそれぞれ通路側係合部１８の傾斜面１８ａに摺接される。この摺接作用を通じて、スプリング１６の弾性力が間接的に開閉蓋１１の特に前側を閉じる方向（案内本体部１０に押し付ける方向）に作用する。こうして、スプリング１６の弾性力により開閉蓋１１の前側から後ろ側に至るほぼ全域で案内本体部１０に対して押し付けられるようにして閉じられた状態となる。
【００１４】
以上のように構成した本実施形態の打ち込み工具１によれば、開閉蓋１１を閉じ状態にロックするロック機構１２とは別に、その前側に当該開閉蓋１１を閉じ部状態に保持する前側閉じ部２０，２０が設けられている。このため、例えば隅打ち作業に邪魔になりやすいロック機構１２を打ち込み方向後ろ側に配置する一方、打ち込み方向前側（射出口５ｂ側）については前側閉じ部２０，２０により開閉蓋１１を閉じ状態に確実に保持することができ、これにより当該開閉蓋１１の特に前側の浮きを防止してその打ち込み具案内機能を確実に発揮させることができる。
また、スプリング１６の弾性力を開閉蓋１１に対して打ち込み方向後ろ側に変位させる方向に作用させることにより、当該弾性力を前側閉じ部２０，２０の傾斜面１８ａ，１１ｅを経て開閉蓋１１を閉じ方向に付勢する弾性力として作用させることができる。このことから、ロック機構１２により開閉蓋１１を閉じ状態にロックすると、前側閉じ部２０，２０についても特別の操作をすることなく確実に機能させて開閉蓋１１をその全体にわたって閉じ状態に保持することができる。
さらに、本実施形態によれば、開閉レバー１５を開き側に操作すると、ロック機構１２がアンロックされるとともに、前側閉じ部２０，２０の係合状態が解除されて開閉蓋１１を開くことができるので、前側閉じ部２０，２０について特別の操作することなく開閉蓋１１を簡単な操作のみで開くことができ、これにより特に打ち込み通路５ａ内に詰まった打ち込み具を除去する作業を行う場合における当該打ち込み案内部５の取り扱い性（メンテナンス性）を高めることができる。
また、当該打ち込み案内部５について適用可能な最長の打ち込み具の先端部よりもやや前側に前側閉じ部２０，２０が配置されて、その前側閉じ力付加位置Ｐ２と、打ち込み具頭部の側方付近に配置したロック機構１２による後ろ側閉じ力付加位置Ｐ１との間に十分に大きな間隔Ｌが設定されている。このように開閉蓋１１の主として後ろ側がロック機構１２による閉じ力により、主として前側が前側閉じ部２０，２０による閉じ力により閉じ状態にロックされるので、開閉蓋１１の特に前側の領域についても後ろ側と同様確実に閉じ状態にロックすることができる。このため、開閉蓋１１の特に前側に打ち込み具が干渉等して衝撃が付加された場合にも、開閉蓋１１を確実に閉じ位置にロックしておくことができ、これにより打ち込み具の案内をより確実に行って打ち込みミスをなくすことができる。
【００１５】
また、前側閉じ部２０，２０について、蓋側係合部１１ｄ，１１ｄ及び通路側係合部１８，１８が、案内本体部１０ｂの幅方向及び板厚方向（高さ方向）について大きくはみ出さない範囲で設けられていることから、当該打ち込み工具１の隅打ち等の作業性を損なうことがない。
さらに、例示した開閉蓋１１の上面には押し壁部１９が設けられており、開閉レバー１５をアンロック方向に回動操作するとスプリング１６の前枠部１６ｂがこの押し壁部１９に当接し、この当接状態で開閉レバー１５が回動操作されることによって当該開閉蓋１１が案内本体部１０ｂから浮き上がる方向に変位する。このため、その後使用者は開閉蓋１１を容易に開放することができる。
また、例示した開閉蓋１１によれば、その打ち込み方向前側についても前側閉じ部２０，２０によって確実に閉じ状態にロックすることができるので、当該開閉蓋１１によって射出口５ｂについても開放することが可能となり、これにより釘詰まり等の作業を楽に行うことができるようになる。
以上説明した実施形態には、種々変更を加えることができる。例えば、スプリング１６は、側面から見て上側に凸となる向きに湾曲したものを用いる構成を例示したが、下向きに凸となる向きに湾曲したスプリング、あるいは側面視で上下に湾曲しない平坦な矩形枠体をなすスプリングを用いる構成としてもよい。
また、ロック機構１２における引き掛け部１７の傾斜面１７ａは省略してもよい。スプリング１６の前枠部１６ｂを開閉蓋１１側の傾斜面１１ｃに押し当てることによって当該スリング１６の弾性力を閉じ方向に作用させることができる。
また、押し壁部１９は省略してもよい。
さらに、打ち込み工具１として圧縮エア式の釘打ち機を例示したが、ガス燃焼式のタッカやビス打ち機等のその他の打ち込み工具についても同様に適用することができる。
【符号の説明】
【００１６】
１…打ち込み工具（圧縮エア式釘打ち機）
２…工具本体部
２ａ…ピストン、２ｂ…ドライバ、２ｃ…スイッチレバー
３…ハンドル部
４…マガジン
５…打ち込み案内部、５ａ…打ち込み通路、５ｂ…射出口
１０…ドライバガイド
１０ａ…本体取り付け部、１０ｂ…案内本体部、１０ｃ…支持壁部
１０ｄ…打ち込み具供給口
１１…開閉蓋
１１ａ…支持凸部、１１ｂ…支持孔、１１ｃ…傾斜面、１１ｄ…蓋側係合部
１１ｅ…傾斜面
１２…ロック機構
１３…固定蓋、１３ａ…ボルト
１４…支持軸
１５…開閉レバー、１５ａ…支持アーム部
１６…スプリング、１６ａ…後枠部、１６ｂ…前枠部
１７…引き掛け部、１７ａ…傾斜面
１８…通路側係合部、１８ａ…通路側傾斜面
Ｐ１…後ろ側閉じ力付加位置
Ｐ２…前側閉じ力付加位置
１９…押し壁部
２０…前側閉じ部
【図１】
0005474709.tif 000002
【図２】
0005474709.tif 000003
【図３】
0005474709.tif 000004
【図４】
0005474709.tif 000005
【図５】
0005474709.tif 000006
【図６】
0005474709.tif 000007